(57)【要約】【課題】シャワー入浴者を着座部に乗り降りさせる際に、シャワー入浴者に対して把手部が邪魔になることなく操作性よく回転移動できるようにし、かつ製造コストのアップも抑えることができるアームレストを提供する。【解決手段】背あて部５の幅方向に対して軸線方向が着座部３側の水平面方向に約２０度傾けた回転軸２０に、先端に把手部１５ｃを有するアームレスト１５のアームレスト部１５ｂを接続して、アームレスト部１５ｂを着座部３の表面と略水平な位置まで回転移動させたときに、アームレスト部１５ｂ及び先端の把手部１５ｃが着座部３の側面より内側に入ることなく、かつ把手部１５ｃの先端側が着座部３の前方内側に位置するようにした。【選択図】      図２
2005000556.tif 000002
【特許請求の範囲】
【請求項１】
着座者が着座する着座部の後部に設置される背あて部の両側面に取付けられる椅子のアームレストであって、
前記背あて部の両側面に回転軸を介して基端側が回転自在に保持された、先端側に内側方向に曲げられている把手部を一体的に設けているアームレスト部を有し、
前記回転軸を回転中心にして前記アームレスト部は、前記着座部側の所定位置から少なくとも前記背あて部に略平行な位置までの間で回転自在であり、前記アームレスト部を前記背あて部に略平行な位置まで回転移動させたときに、前記アームレスト部及び前記把手部が前記背あて部の側面より内側に入ることなく、かつ前記アームレスト部を前記着座部側の所定位置まで回転移動させたときに、前記把手部の少なくとも先端側が前記背あて部の側面の内側に位置するように、前記アームレスト部の基端側が前記背あて部に接続されている、
ことを特徴とする椅子のアームレスト。
【請求項２】
前記回転軸の軸線方向は前記背あて部の幅方向に対して、前記背あて部前方から該背あて部下方にかけての範囲内における所定の角度に傾けて固定されている、
ことを特徴とする請求項１に記載の椅子のアームレスト。
【請求項３】
前記アームレスト部は、前記回転軸を回転中心にして前記着座部側の所定位置から前記背あて部の後部下方へ回転自在であり、前記アームレスト部を前記背あて部の後部下方へ回転移動させたときに、前記アームレスト部の一部及び前記把手部が前記背あて部の側面の後方内側に位置するように、前記アームレスト部の基端側が前記背あて部に接続されている、
ことを特徴とする請求項１又は２に記載の椅子のアームレスト。
【請求項４】
前記椅子は、シャワー入浴装置用車椅子である、
ことを特徴とする請求項１乃至３のいずれか１項に記載の椅子のアームレスト。
【請求項５】
略矩形のフレームと、前記フレームに張設されたシート部を有し、被介護者を搬送可能なストレッチャの前記フレームの両側面に取付けられるストレッチャのアームレストであって、
前記フレームの両側面に回転軸を介して基端側が回転自在に保持された、先端側に内側方向に曲げられている把手部を一体的に設けているアームレスト部を有し、
前記回転軸を回転中心にして前記アームレスト部は、前記シート部上の所定位置から前記シート部の下方までの間で回転自在であり、前記アームレスト部を前記フレームの側部まで回転移動させたときに、前記アームレスト部及び前記把手部が前記フレームより内側に入ることなく、かつ前記アームレスト部を前記シート部上の所定位置まで回転移動させたときに、前記把手部の少なくとも先端側が前記フレームの側面の内側に位置し、さらに前記アームレスト部を前記シート部の下方まで回転移動させたときに、前記アームレスト部の一部及び前記把手部が前記フレームの側面の下方内側に位置するように、前記アームレスト部の基端側が前記フレームに接続されている、
ことを特徴とするストレッチャのアームレスト。
【請求項６】
前記回転軸の軸線方向は前記シート部の幅方向に対して所定の角度に傾けて固定されている、
ことを特徴とする請求項５に記載のストレッチャのアームレスト。
【発明の詳細な説明】
【０００１】
【発明の属する技術分野】
本発明は、椅子のアームレスト及びストレッチャのアームレストに関する。
【０００２】
【従来の技術】
従来より着座者が握るための把手部を設けたアームレストを有する椅子が存在する。例えば、高齢者や身体障害者、入院患者等の被介護者をシャワー入浴装置で手軽にシャワー入浴させるときには、リクライニング自在な車椅子を用い、このリクライニング自在な車椅子に被介護者を乗せた状態でシャワー入浴装置内に収容する場合がある。
【０００３】
一般的に人が不安を感じる時には何か物を握ることによって不安を解消しようとする傾向があるため、この種の車椅子には、被介護者を車椅子に乗せて移動させるときやシャワー入浴装置内等でリクライニングさせたときに、被介護者が身体を安定して不安なく車椅子に腰掛けていられるように、図７に示すように、先端に把手部３０を有する一対のアームレスト３１を背あて部３２の側面に取付け、被介護者が腕をアームレスト３１にのせて把手部３０を握って身体を支えると共に、把手部３０を握ることにより不安を軽減できるようにしている。なお、図７では、背あて部３２が着座部３３に対して垂直方向に立っている状態である。
【０００４】
このアームレスト３１は、その基端部３１ａが背あて部３２の側面に回転自在に取付けられており、被介護者が車椅子の両脇から乗り降りするときにアームレスト３１が邪魔にならないように、アームレスト３１を着座部３３の側面に沿って上方に回転移動するようにしている。即ち、アームレスト３１の回転軸３４が背あて部３２の幅方向に沿って設けられているので、この回転軸３４に直角に設けられているアームレスト３１を前方に回転移動させたときには、着座部３３の側面と平行な位置にセットされ、アームレスト３１を上方に回転移動させたときには、背あて部３２の側面と平行な位置にセットされる。
【０００５】
また、各アームレスト３１の先端に設けられる把手部３０は、被介護者が着座部３３に座ったときに自然な姿勢で握ることができるように、着座部３３の前方で内側方向に向き合っている。
【０００６】
各アームレスト３１の先端に設けられる把手部３０は、図８に示すように、着座部３３の側面に対して直角方向に回転自在に取付けられており、把手部３０を外側に向けて回転させることによって、アームレスト３１を上方に回転移動させて被介護者が着座部３３に座るときには、背あて部３２に把手部３０が当たることを防止し、被介護者が着座部３３に座った後にアームレスト３１を前方に回転移動させるときには、被介護者に把手部３０が当たることを防止することができる。
【０００７】
【発明が解決しようとする課題】
ところで、上記したように従来のシャワー入浴装置用車椅子は、被介護者が着座部３３に乗り降りする際にアームレスト３１を回転移動させた場合において、各アームレスト３１の先端に設けられる把手部３０が被介護者に当たらないように、把手部３０に回転軸とロック機構を設ける必要があり、コストアップの要因となる。
【０００８】
また、介護者が被介護者を着座部３３から乗り降りさせる場合に、各アームレスト３１の回転移動と共に把手部３０も回転させる必要がるので、操作性も良くなかった。
【０００９】
このような課題は、ストレッチャにおいても同様である。ストレッチャに寝かされた状態で搬送もしくは何らかの介護処置を受けている際の被介護者は不安を感じるため、車椅子と同様の理由からストレッチャも把手部を有するアームレストを備えることを要望される場合がある。
【００１０】
ストレッチャの乗降の際には、ストレッチャ側面から被介護者をベッドや他のストレッチャ等に移送するため、乗降時にアームレストが邪魔にならないようにする必要がある。そのため、前記した車椅子のアームレストと同様の機構を備えたものが想到されるが、それでは問題点も同様に発生することとなる。
【００１１】
そこで本発明は、着座者の乗降の際に、着座者に対して把手部が邪魔になることなく操作性よく回転移動できるようにし、かつ製造コストのアップも抑えることができる椅子のアームレスト及び、被介護者の乗降や乗換えの際に、被介護者に対して把手部が邪魔になることなく操作性よく回転移動できるようにし、かつ製造コストのアップも抑えることができるストレッチャのアームレストを提供することを目的とする。
【００１２】
【課題を解決するための手段】
上記目的を達成するために本発明に記載の椅子のアームレストは、着座者が着座する着座部の後部に設置される背あて部の両側面に取付けられる椅子のアームレストであって、前記背あて部の両側面に回転軸を介して基端側が回転自在に保持された、先端側に内側方向に曲げられている把手部を一体的に設けているアームレスト部を有し、前記回転軸を回転中心にして前記アームレスト部は、前記着座部側の所定位置から少なくとも前記背あて部に略平行な位置までの間で回転自在であり、前記アームレスト部を前記背あて部に略平行な位置まで回転移動させたときに、前記アームレスト部及び前記把手部が前記背あて部の側面より内側に入ることなく、かつ前記アームレスト部を前記着座部側の所定位置まで回転移動させたときに、前記把手部の少なくとも先端側が前記背あて部の側面の内側に位置するように、前記アームレスト部の基端側が前記背あて部に接続されていることを特徴としている。
【００１３】
なお、前記回転軸の軸線方向は前記背あて部の幅方向に対して、前記背あて部前方から該背あて部下方にかけての範囲内における所定の角度に傾けて固定されていてもよい。
【００１４】
また、前記アームレスト部は、前記回転軸を回転中心にして前記着座部側の所定位置から前記背あて部の後部下方へ回転自在であり、前記アームレスト部を前記背あて部の後部下方へ回転移動させたときに、前記アームレスト部の一部及び前記把手部が前記背あて部の側面の後方内側に位置するように、前記アームレスト部の基端側が前記背あて部に接続されていれば、アームレストが両側に張り出して邪魔になることがない。
【００１５】
そして、前記椅子は、シャワー入浴装置用車椅子である場合に特に効果的である。
【００１６】
また、本発明に記載のストレッチャのアームレストは、略矩形のフレームと、前記フレームに張設されたシート部を有し、被介護者を搬送可能なストレッチャの前記フレームの両側面に取付けられるストレッチャのアームレストであって、前記フレームの両側面に回転軸を介して基端側が回転自在に保持された、先端側に内側方向に曲げられている把手部を一体的に設けているアームレスト部を有し、前記回転軸を回転中心にして前記アームレスト部は、前記シート部上の所定位置から前記シート部の下方までの間で回転自在であり、前記アームレスト部を前記フレームの側部まで回転移動させたときに、前記アームレスト部及び前記把手部が前記フレームより内側に入ることなく、かつ前記アームレスト部を前記シート部上の所定位置まで回転移動させたときに、前記把手部の少なくとも先端側が前記フレームの側面の内側に位置し、さらに前記アームレスト部を前記シート部の下方まで回転移動させたときに、前記アームレスト部の一部及び前記把手部が前記フレームの側面の下方内側に位置するように、前記アームレスト部の基端側が前記フレームに接続されていることを特徴としている。
【００１７】
なお、前記回転軸の軸線方向は前記シート部の幅方向に対して所定の角度に傾けて固定されていてもよい。
【００１８】
【発明の実施の形態】
以下、本発明を図示の実施の形態に基づいて説明する。
【００１９】
〈実施の形態１〉
実施の形態１は、本発明に係る椅子のアームレストをシャワー入浴装置用車椅子のアームレストに適用した例である。図１は、本発明の実施の形態１に係るアームレストを備えたシャワー入浴装置用車椅子を示す概略斜視図である。
【００２０】
このシャワー入浴装置用車椅子１は、脚部２、着座部３、足置き部４、背あて部５とで構成されている。脚部２の四隅には、それぞれ回転自在な移動用車６が設けられている。被介護者（シャワー入浴者）が着座する着座部３の着座面には、クッション性のよい厚みのある着座シート７が取付けられている。足置き部４には、被介護者の足をのせる一対の足のせ板８、９と、足を固定する足固定ベルト１０を有している。
【００２１】
背あて部５には、金属製の逆Ｕ字状の背あてフレーム１１に取付けられた伸縮性を有する背あてシート１２と、被介護者の胸部を固定する胸部固定ベルト１３と、被介護者の頭部を保持する弾力性のある頭部保持部材１４を有しており、背あて部５の両側面には、回転自在な一対のアームレスト１５、１６が取付けられている（本発明の特徴であるアームレスト１５、１６の詳細については後述する）。アームレスト１５、１６は、金属製のフレームに筒状の弾性を有するカバーを装着して構成されている。
【００２２】
背あて部５は、着座部３の後部に設けた回動中心軸１９に回動自在に取付けられており、脚部２の後部と背あてフレーム１１の背面フレーム１１ａ間に取付けたガスを封入したダンパー部材１７の操作スイッチ１７ａを操作することよって、後方にスムーズにかつ容易にリクライニングさせることができる。また、背あて部５は一対のリンク機構１８を介して足置き部４に連結されており、背あて部５のリクライニングに応じて足置き部４が前方に回動移動する。
【００２３】
次に、本実施の形態に係るシャワー入浴装置用車椅子１のアームレスト１５、１６の構成について説明する。図２は、アームレスト１５を示す平面図である。なお、他方のアームレスト１６の構成もアームレスト１５と同様であり、本実施の形態ではアームレスト１５のみについて説明する。また、図２では、アームレスト１５は、表面のカバーを取外してフレームだけの状態であり、また、背あて部５（背あてシート１２）は、着座部３に対して垂直方向に立っている状態である。
【００２４】
アームレスト１５は、背あて部５の背あてシート１２の周面を保持した背あてフレーム１１の下側付近の側面に回転自在に固着した回転軸２０にボルト留めされている。回転軸２０は、背あてシート１２の幅方向（図２の左右方向）に対して約２０度だけ着座部３側の水平面方向に傾けて、背あてフレーム１１に取付けられている。よって、回転軸２０の軸線方向と着座部３表面は略平行である。
【００２５】
アームレスト１５は、回転軸２０の表面にボルト留めされる接続部１５ａと、接続部１５ａに接続され被介護者が腕をのせるアームレスト部１５ｂと、一体に形成した先端の把手部１５ｃからなり、アームレスト部１５ｂの基端部１５ｄは接続部１５ａ（回転軸２０）の軸線方向に対して直角に接合されている。また、回転軸２０には、アームレスト１５を着座部３側に回転移動させたときに、着座部３の表面と略水平な位置で停止するようにロック機構（不図示）が設けられている。
【００２６】
図２に示すように、アームレスト１５を着座部３側に倒した状態（着座部３の表面と略平行な位置）において、アームレスト部１５ｂはその基端部１５ｄに対して着座部３の水平面方向外側に向けて約３０度曲げられており、把手部１５ｃはアームレスト部１５ｂに対して着座部３の内側に向けて約９０度曲げられている。把手部１５ｃの先端は、被介護者が握りやすいように把手部１５ｄの基端側に対して少し上方に曲げられている。アームレスト１５を着座部３側に倒した状態（着座部３の表面と略平行な位置）においては、把手部１５ｃの先端部は着座部３の前方で、着座部３の側面より内側に位置している。
【００２７】
そして、入浴補助者（介護者）が被介護者を着座部３に着座させるときに、アームレスト１５、１６が邪魔にならないように回転軸２０を回転中心にしてアームレスト１５、１６を回転移動させて背あて部５側の後方に立てる。この際、アームレスト１５、１６の回転軸２０が、背あてシート１２の幅方向（図２の左右方向）に対して約２０度だけ着座部３側の水平面方向に傾いているので、図３に示すように、アームレスト１５、１６のアームレスト部１５ｂ、１６ｂと把手部１５ｃ、１６ｃを、着座部３の両側面の外側を通るようにして斜め後方に回転移動させることができる。
【００２８】
よって、アームレスト１５、１６は、アームレスト部１５ｂ、１６ｂと把手部１５ｃ、１６ｃが背あて部５の側面に当たることなく、背あて部５の後方まで回転移動される。
【００２９】
そして、被介護者が着座部３に着座すると、入浴補助者はアームレスト１５、１６を回転移動させて着座部３側に戻す。この際、アームレスト１５、１６の回転軸２０が、背あてシート１２の幅方向（図２の左右方向）に対して約２０度だけ着座部３側の水平面方向に傾いているので、図１に示すように、アームレスト１５、１６を、背あて部５の斜め後方から着座部３側に回転移動させることができる。この際、アームレスト部１５ｂ、１６ｂはその基端部１５ｄ（アームレスト部１６ｂ側は不図示）に対して着座部３の水平方向外側に向けて約３０度曲げられているので、着座部３の側面外側を通して前方に回転移動する。よって、アームレスト１５、１６のアームレスト部１５ｂ、１６ｂと把手部１５ｃ、１６ｃを、被介護者に対して邪魔になることなく着座部３の前方内側に回転移動させることができる。
【００３０】
この状態で被介護者は、アームレスト１５、１６のアームレスト部１５ｂ、１６ｂに腕をのせて把手部１５ｃ、１６ｃを握ることにより、被介護者は安定して不安なく身体を支えることができる。
【００３１】
このように、被介護者をシャワー入浴装置用車椅子１の着座部３に乗り降りさせる際に、アームレスト１５、１６を被介護者（シャワー入浴者）に対して邪魔になることなく回転移動させることができるので、操作性の向上を図ることができる。
【００３２】
また、アームレスト１５、１６を着座部３側に回転移動させるときに、アームレスト１５、１６の先端の把手部１５ｃ、１６ｃに回転軸を設けて回転させることなく、被介護者（シャワー入浴者）に対して邪魔にならないようにして被介護者の前方に位置させることができるので、製造コストのアップを抑えることができる。
【００３３】
〈実施の形態２〉
実施の形態２も、本発明に係る椅子のアームレストをシャワー入浴装置用車椅子のアームレストに適用した例である。図４は、本発明の実施の形態２に係るシャワー入浴装置用車椅子のアームレストを示す正面図であり、図２に示した実施の形態１のアームレストと同一機能を有する部分には同一符号を付して説明する。なお、図４は一方側のアームレスト１５のみを示しているが、他方のアームレスト１６の構成もアームレスト１５と同様であり、本実施の形態ではアームレスト１５のみについて説明する。また、図４では、アームレスト１５は、表面のカバーを取外してフレームだけの状態であり、また、背あて部５（背あてシート１２）は、着座部３に対して垂直方向に立っている状態である。
【００３４】
本実施の形態におけるアームレスト１５は、背あて部５の背あてシート１２の周面を保持した背あてフレーム１１の下側付近の側面に回転自在に固着した回転軸２０にボルト留めされている。回転軸２０は、背あてシート１２の幅方向（図の左右方向）に対して約２０度だけ背あて部５（背あてシート１２）側の垂直面方向下側に傾けて、背あてフレーム１１に取付けられている。よって、回転軸２０の軸線方向と背あて部５表面はほぼ同一平面上にある。
【００３５】
アームレスト１５は、回転軸２０の表面にボルト留めされる接続部１５ａと、接続部１５ａに接続され被介護者（シャワー入浴者）が腕をのせるアームレスト部１５ｂと、その先端側に一体に形成した把手部１５ｃからなり、アームレスト部１５ｂの基端側は接続部１５ａ（回転軸２０）の軸線方向に対して直角に接合されている。また、回転軸２０には、アームレスト１５を着座部３側に回転移動させたときに、着座部３の表面と略水平な位置で停止するようにロック機構（不図示）が設けられている。
【００３６】
図４に示すように、アームレスト部１５ｂは基端側から把手部１５ｃまでは曲がりが無く、アームレスト１５を着座部３側に倒した状態（着座部３の表面と略平行な位置）において、把手部１５ｃはアームレスト部１５ｂに対して着座部３の内側に向けて約９０度曲げられている。アームレスト１５を着座部３側に倒した状態（着座部３の表面と略平行な位置）においては、把手部１５ｃの先端部は着座部３の前方で、着座部３の側面より内側に位置している。
【００３７】
そして、入浴補助者（介護者）が被介護者を着座部３に着座させるときに、アームレスト１５が邪魔にならないように回転軸２０を回転中心にしてアームレスト１５を回転移動させて背あて部５の後部下方に回りこませる。この際、アームレスト１５の回転軸２０が、背あてシート１２の幅方向（図の左右方向）に対して約２０度だけ背あて部５側の垂直面方向下側に傾いているので、アームレスト１５のアームレスト部１５ｂと把手部１５ｃを、着座部３の両側面の外側を通るようにして、背あて部５の側面に当たることなく回転移動させることができる。
【００３８】
そして、アームレスト１５が背あて部５の後部下方に移動した状態では、アームレスト部１５ｂの一部及び把手部１５ｃが背あて部５の側面の後方内側に位置することとなり、アームレスト１５が両側に張り出して邪魔になることがない。
【００３９】
〈実施の形態３〉
実施の形態３も、本発明に係る椅子のアームレストをシャワー入浴装置用車椅子のアームレストに適用した例である。図５は、本発明の実施の形態３に係るシャワー入浴装置用車椅子のアームレストを示す斜視図であり、図２に示した実施の形態１のアームレストと同一機能を有する部分には同一符号を付して説明する。なお、図５は一方側のアームレスト１５のみを示しているが、他方のアームレスト１６の構成もアームレスト１５と同様であり、本実施の形態ではアームレスト１５のみについて説明する。また、図５では、アームレスト１５は、表面のカバーを取外してフレームだけの状態である。
【００４０】
本実施の形態におけるアームレスト１５は、背あて部５の背あてシート１２の周面を保持した背あてフレーム１１の下側付近の側面に回転自在に固着した回転軸２０に取付けられている。回転軸２０は、背あてシート１２の幅方向（図の左右方向）に対して平行に、背あてフレーム１１に取付けられている。
【００４１】
図５に示すように、アームレスト部１５ｂはその基端側から把手部１５ｃまでは曲がりが無く、アームレスト１５を着座部３側に倒した状態（着座部３の表面と略平行な位置）において、把手部１５ｃはアームレスト部１５ｂに対して着座部３の内側に向けて約９０度曲げられている。アームレスト１５を着座部３側に倒した状態（着座部３の表面と略平行な位置）においては、把手部１５ｃの先端部は着座部３の前方で、着座部３の側面より内側に位置している。
【００４２】
回転軸２０の表面には、図５に示すように、螺旋状の溝２０ａが形成されている。また、回転軸２０に取付けられるアームレスト１５の基端側の接続部１５ａ内には、回転軸２０に形成した螺旋状の溝２０ａに係合する突起１５ｅが形成されている。
【００４３】
回転軸２０に形成した溝２０ａが螺旋状であることによって、アームレスト１５が着座部３の表面と略水平な位置から背あて部５の後方まで回転移動するに伴い、この溝２０ａに係合する突起１５ｅが溝２０ａの軌道に沿って移動することにより、アームレスト１５全体が背あて部５の側面近傍から外側にスライドする。そして、アームレスト１５が背あて部５の側面を通過する際には、把手部１５ｃが背あて部５の外側を通過することにより、背あて部５の側面に当たることなく回転移動させることができる。また、アームレスト１５を着座部３側に倒した状態における突起１５ｅの位置は溝２０ａの端部になっており、これによって溝２０ａ及び突起１５ｅはアームレスト１５のロック機構を兼ねる。
【００４４】
なお、溝２０ａを螺旋状ではなく山状にし、背あて部５の側面を通過したアームレスト１５が背あて部５の後部下方まで回転移動するに従って再び内側にスライドするようにしてもよい。
【００４５】
上述した実施の形態１〜３においては、シャワー入浴装置用車椅子に備えられるアームレストを例に挙げて説明したが、本発明はこれに限定されるものではなく、これ以外にも、例えば一般的な車椅子やマッサージチェア、アミューズメント施設のアトラクションに使用される椅子など、様々な椅子のアームレストに適用可能である。
【００４６】
〈実施の形態４〉
次に、本発明におけるストレッチャのアームレストについて説明する。図６は、本発明の実施の形態４に係るアームレストを備えたシャワー入浴装置用ストレッチャを示す概略斜視図である。
【００４７】
このストレッチャ２１には、下部に搬送用ローラ２２を備えた可動式のベース２３を備えており、このベース２３の前端部分には昇降機構部２４が立設されている。この昇降機構部２４内には、不図示の上下方向に長手のボールねじとこのボールねじを回転駆動するギヤトレインおよび電動モータが内蔵されている。この電動モータの駆動源となるバッテリー（不図示）は、バッテリー格納部２５に格納されている。バッテリー格納部２５は、昇降機構部２４の中心線に対して左側に偏位して設けられており、バッテリー格納部２５が中心部分にないため、昇降機構部２４の中心部分の厚みを薄くすることができる。
【００４８】
ベース２３上に設けられている身体保持部２６は、昇降機構部２４によって昇降自在であり、略矩形のフレーム２６ａにシート部２６ｂとしてメッシュ素材が張設されている。そして、被介護者の頭部を保持するヘッドレスト２７の下方に位置するように水受け板２８が身体保持部２６に固定されている。
【００４９】
アームレスト１５、１６は、身体保持部２６のフレーム２６ａの両側面に回転自在に固着した回転軸２０にボルト留めされている。本実施の形態における回転軸２０は図４に示した実施の形態２と同様に、身体保持部２６の幅方向に対して約２０度だけ身体保持部２６と平行な面上の、被介護者が横たわる際に足を向ける方向（身体保持部２６のヘッドレスト２７と反対方向）に傾けて、フレーム２６ａに取付けられている。
【００５０】
アームレスト１５、１６の構成は、図４に示した実施の形態２のアームレストと同様であり、アームレスト部１５ｂ、１６ｂの先端側に約９０度に曲げた把手部１５ｃ、１６ｃが一体に設けられている。また、アームレスト１５、１６の回転軸２０には、アームレスト１５、１６を身体保持部２６上に回転移動させたときに、身体保持部２６の表面と約４０度の角度をなす位置で停止するようにロック機構（不図示）が設けられている。アームレスト１５、１６を身体保持部２６上に移動させた状態においては、把手部１５ｃ、１６ｃの先端側は身体保持部２６の側面より内側に位置している。
【００５１】
そして、入浴補助者（介護者）が被介護者を身体保持部２６上に移乗させるときに、アームレスト１５、１６が邪魔にならないようにアームレスト１５、１６の回転軸２０を回転中心にしてアームレスト１５、１６を図５の左方向に回転移動させて身体保持部２６の下方に回りこませる。この際、アームレスト１５、１６の回転軸２０が、身体保持部２６の幅方向に対して約２０度だけ傾いているので、アームレスト１５、１６の先端の把手部１５ｃ、１６ｃを、身体保持部２６のフレーム２６ａの両側面の外側を通るようにして、フレーム２６ａの両側面に当たることなく回転移動させることができる。
【００５２】
また、アームレスト１５、１６が身体保持部２６の下方に移動した状態では、把手部１５ｃ、１６ｃとアームレスト部１５ｂ、１６ｂの先端側が身体保持部２６の両側面の内側に位置することとなり、アームレスト１５、１６が両側に張り出して邪魔になることがない。
【００５３】
【発明の効果】
以上説明したように本発明によれば、椅子のアームレストは、アームレスト部を着座部側の所定位置まで回転移動させたときに、アームレスト部及び把手部が着座部の側面より内側に入ることなく、かつ把手部の少なくとも先端側が着座部の前方内側に位置するように、アームレスト部の基端側を背あて部に接続することにより、着座者（被介護者）を着座部に乗り降りさせる際に、着座者に対して把手部が邪魔になることなくアームレスト部を回転移動させることができるので、着座者の乗降の際に、着座者に対して把手部が邪魔になることなく操作性よく回転移動でき、かつ製造コストのアップも抑えることができる。
【００５４】
また、ストレッチャのアームレストは、アームレスト部をフレームの側部まで回転移動させたときに、アームレスト部及び把手部がフレームより内側に入ることなく、かつアームレスト部をシート部上の所定位置まで回転移動させたときに、把手部の少なくとも先端側が着座部の前方内側に位置し、さらにアームレスト部をシート部の下方まで回転移動させたときに、アームレスト部の一部及び把手部がフレームの側面の下方内側に位置するようにアームレスト部の基端側がフレームに接続されていることにより、着座者（被介護者）の乗降や乗換えの際に、着座者に対して把手部が邪魔になることなく操作性よく回転移動でき、かつ製造コストのアップも抑えることができる。
【図面の簡単な説明】
【図１】本発明の実施の形態１に係るアームレストを備えたシャワー入浴装置用車椅子を示す斜視図。
【図２】本発明の実施の形態１に係るアームレストを示す平面図。
【図３】本発明の実施の形態１に係るアームレストを備えたシャワー入浴装置用車椅子を示す斜視図。
【図４】本発明の実施の形態２に係るアームレストを示す正面図。
【図５】本発明の実施の形態３に係るアームレストと回転軸を示す分解斜視図。
【図６】本発明の実施の形態４に係るアームレストを備えたシャワー入浴装置用ストレッチャを示す概略斜視図。
【図７】従来例におけるシャワー入浴装置用車椅子のアームレストを示す図。
【図８】従来例におけるシャワー入浴装置用車椅子のアームレストの回転移動を示す図。
【符号の説明】
１        シャワー入浴装置用車椅子
２        脚部
３        着座部
４        足置き部
５        背あて部
１１      背あてフレーム
１２      背あてシート
１５、１６        アームレスト
１５ｂ、１６ｂ        アームレスト部
１５ｃ、１６ｃ        把手部
２０      回転軸
２１      ストレッチャ
２６      身体保持部
２６ａ    フレーム
【図１】
2005000556.tif 000003
【図２】
2005000556.tif 000004
【図３】
2005000556.tif 000005
【図４】
2005000556.tif 000006
【図５】
2005000556.tif 000007
【図６】
2005000556.tif 000008
【図７】
2005000556.tif 000009
【図８】
2005000556.tif 000010